(57)【要約】【課題】ケース本体の内部に水の浸入を防止できると共に、振動音を軽減して防振性にも優れたウォーターポンプ装置を提供する。【解決手段】モータ１、ポンプ１ａ、制御基盤２が収容されたケース本体３に、当該ケース本体３の内、外を連通する呼吸孔４が開設されてなるウォーターポンプ装置において、前記呼吸孔４には、外部からの水の浸入を防止可能な厚肉の防振用ゴムキャップ５が封止されており、前記防振用ゴムキャップ５の内部には、前記ケース本体３内に連通される膨張・収縮可能な空間部５３が設けられたことを特徴とする。【選択図】図１
2010270648.tif 000002
【特許請求の範囲】
【請求項１】
モータ、ポンプ、制御基盤が収容されたケース本体に、当該ケース本体の内、外を連通する呼吸孔が開設されてなるウォーターポンプ装置において、
前記呼吸孔には、外部からの水の浸入を防止可能な厚肉の防振用ゴムキャップが封止されており、前記防振用ゴムキャップの内部には、前記ケース本体内に連通される膨張・収縮可能な空間部が設けられたことを特徴とするウォーターポンプ装置。
【発明の詳細な説明】
【技術分野】
【０００１】
本発明は、ウォーターポンプ装置に関し、例えば、車両のウィンドウォッシャー、ヘッドランプウォッシャー等を噴射するためなどに用いられる車両用のウォーターポンプ装置に関する。
【背景技術】
【０００２】
従来より、車両のウィンドウォッシャーやヘッドランプウォッシャーには、洗浄液等を噴射するためにウォーターポンプ装置が使用されている（例えば、特許文献１、２参照）。
【０００３】
また、ウォーターポンプ装置と同様のものとして、例えば、車両の燃料供給管に設けた燃料遮断弁を閉塞・開放駆動させるエンジンストップアクチュエータも知られている（例えば、特許文献３参照）。
【０００４】
これらのウォーターポンプ装置やエンジンストップアクチュエータ（以下、「ウォーターポンプ装置」と略する。）は、何れも駆動源であるモータ、当該モータに連結されたポンプ、制御基盤等（以下「モータ等」と略する。）が、密閉されたケース本体内に収容されている。
【０００５】
このようなウォーターポンプ装置の前記モータ等は、電気的にショートしないよう、周辺と隔離しておく必要があるが、前記モータの駆動により加熱、冷却して、前記ケース本体内の空気が膨張、収縮されてしまう。
【０００６】
この空気の膨張、収縮により、前記ケース本体が圧力による力を受け、当該ケース本体に亀裂や破損を生じる恐れがある。
【０００７】
そのため、従来のウォーターポンプ装置では、前記ケース本体内の空気を外部に逃がしたり、又は、外部の空気を吸い込むための呼吸孔を前記ケース本体に設けている。
【０００８】
ところが、外部からの水が前記呼吸孔を通じてケース本体内に浸入する恐れがあるため、これを阻止すべく、従来のウォーターポンプ装置では、前記呼吸孔を迷路構造にして前記水の浸入を阻止したり、又は、前記呼吸孔に防水シートを取り付けて前記水の浸入を阻止するものが提案されている。
【先行技術文献】
【特許文献】
【０００９】
【特許文献１】特開２００８−２４０７号公報
【特許文献２】特開２００８−２４０５４３号公報
【特許文献３】実開平６−８０３５３号公報
【発明の概要】
【発明が解決しようとする課題】
【００１０】
しかしながら、例えば、車両用のウォーターポンプ装置では、地面付近に搭載されている場合があり、大雨などの場合には、当該ウォーターポンプ装置が水に浸かった状態で走行されることもあるため、前記呼吸孔が迷路構造のようなものでは防水を対応できず、外部の水が前記ケース本体内に浸入してしまうという問題がある。
【００１１】
また、前記呼吸孔に防水シートを取り付けたウォーターポンプ装置では、前記防水シートは、薄肉のシート状で形成されているため、例えば、前記ケース本体の内部と外部の温度差が生じた場合に、その圧力差によって前記防水シートの伸縮が繰り返されると、疲労等によって破損、亀裂等が生じるという恐れがある。
【００１２】
特に、前記モータ等が激しく可動する高温時などでは、前記モータ等の振動が大きくなるが、前記防水シートが薄肉であるために伝播され易く、振動音等が外部に伝播されて防振性が悪くなるという問題もある。
【００１３】
本発明は、かかる課題を解決することを目的とし、ケース本体の内部に水の浸入を防止できると共に、振動音を軽減して防振性にも優れたウォーターポンプ装置を提供する。
【課題を解決するための手段】
【００１４】
上記課題を解決するために、
本発明は、モータ、ポンプ、制御基盤が収容されたケース本体に、当該ケース本体の内、外を連通する呼吸孔が開設されてなるウォーターポンプ装置において、前記呼吸孔には、外部からの水の浸入を防止可能な厚肉の防振用ゴムキャップが封止されており、前記防振用ゴムキャップの内部には、前記ケース本体内に連通される膨張・収縮可能な空間部が設けられたことを特徴とする。
【００１５】
すなわち、本発明は、従来のような防水シート自体が伸縮されるのではなく、前記ケース本体の呼吸孔を、前記防振用ゴムキャップで封止すると共に、当該防振用ゴムキャップの内部に設けた空間部を膨張・収縮させるようにしたものである。
【００１６】
そのため、例えば、ケース本体内の温度が低く、当該ケース本体内の圧力が低い場合には、前記防振用ゴムキャップの内部に設けた空間部は、前記圧力（低圧）によって収縮する。
【００１７】
一方、ケース本体内の温度が高く、当該ケース本体内の圧力が高い場合には、前記防振用ゴムキャップの内部に設けた空間部は、前記圧力（高圧）によって膨張する。
【００１８】
従って、本発明によれば、前記空間部の膨張、収縮によって、前記ケース本体内の圧力と、当該ケース本体の外部の圧力が略均一になるように調節することができ、前記ケース本体の亀裂や破損を防止することができる。
【００１９】
また、前記防振用ゴムキャプは、前記ケース本体の呼吸孔を封止しているので、前記ケース本体の外部からの水の浸入を確実に防止できる。
【００２０】
更に、前記防振用ゴムキャップは、厚肉に形成されているため、例えば、前記モータ等の駆動によって生じる振動を吸収し、振動音が外部に伝播することを防止して防振性を高めることができる。
【００２１】
特に、前記モータ等が激しく振動する高温時では、前記防振用ゴムキャップの空間部が膨張した状態となり、当該空間部には空気層が形成される。
【００２２】
そのため、前記空気層がダンパ構造となるので、高温時における前記モータ等の振動を更に吸収して、前記振動音等による防振性を更に高めることができる。
【発明の効果】
【００２３】
本発明のウォーターポンプ装置によれば、ケース本体の内部に水の浸入を防止できると共に、防振性も高めることができる。
【図面の簡単な説明】
【００２４】
【図１】本発明の一実施形態を示したウォーターポンプ装置の要部断面図である。
【図２】（ａ）、（ｂ）は、図１の要部を拡大した動作図であり、（ａ）は、空間部が収縮された状態を示す動作図、（ｂ）は、空間部が膨張された状態を示す動作図である。
【発明を実施するための形態】
【００２５】
以下、本発明の一実施形態を図面に基づいて説明する。
【００２６】
図１は、本発明の一実施形態を示したウォーターポンプ装置Ａの要部断面図である。  図２（ａ）、（ｂ）は、図１の要部を拡大した動作図であり、（ａ）は、空間部が収縮された状態を示す動作図、（ｂ）は、空間部が膨張された状態を示す動作図を夫々示している。
【００２７】
なお、図１、図２において共通する部位には、同一の符号を付して、重複する説明については省略している。
【００２８】
本実施形態のウォーターポンプ装置Ａは、車両のウィンドウォッシャーやヘッドランプウォッシャー、エンジンストップアクチュエータ等に使用されるものである。
【００２９】
また、車両に搭載されるエンジンは、レシプロ型、ロータリー型、ハイブリッド型、電動型等、その型式に限定されるものではなく、全ての車両に使用可能である。
【００３０】
すなわち、このウォーターポンプ装置Ａは、モータ１、制御基盤２、ポンプ１ａ等を収容して、密閉されるケース本体３と、このケース本体３の内、外を連通するように開設された呼吸孔４と、この呼吸孔４を封止する厚肉の防振用ゴムキャップ５を備えてなる。
【００３１】
モータ１、制御基盤２、ポンプ１ａ等は、従来のものと同様であるため、これらの説明については省略する。
【００３２】
なお、これらモータ１、制御基盤２、ポンプ１ａ等は、例示に過ぎず、例えば、制御基盤２を備えないものであっても構わない。
【００３３】
ケース本体３は、上、下に分割された本体部３１と蓋部３２とからなり、これら本体部３１及び蓋部３２に夫々形成された嵌合部３３を嵌合したうえで、両者を固着し、ケース本体部３を密閉してなる。
【００３４】
本実施形態では、この密閉されたケース本体３内の制御基盤２と、蓋部３２内面との間には、密閉された隙間部３４が形成されたものを例示している。
【００３５】
また、隙間部３４に接する蓋部３２壁面には、当該蓋部３２の内、外を貫通する呼吸孔４が複数開設されている。
【００３６】
なお、呼吸孔４の形状は、円形、角形等、特に限定されない。
【００３７】
そして、これらの呼吸孔４には、伸縮可能な厚肉の防振用ゴムキャップ５が夫々封止されてなる。
【００３８】
防振用ゴムキャップ５は、図１の破線で囲まれた拡大図に示すように、伸縮力を有する厚肉の中実状のゴム製ブロック体であって、このブロック体の内面５１中央には、内部に向けて線条の通気路５２が、当該ブロック体内部の略中央位置まで伸びている。
【００３９】
また、通気路５２の先端には、当該先端位置から横方向（水平方向）に切欠された空間部５３が連続形成されてなる。
【００４０】
ここで、「切欠された」とは、単に切り込みを形成したものに限らず、僅かな隙間を設けて開設された空洞状のものも含む意味である。
【００４１】
このようにして、本実施形態の防振用ゴムキャップ５の内部には、通気路５２を通じてケース本体３内に連通される空間部５３を形成してなる。
【００４２】
そのため、本実施形態によれば、防振用ゴムキャプ５が、ケース本体３の呼吸孔５２を封止しているので、ケース本体３の外部からの水の浸入を確実に防止できる。
【００４３】
また、防振用ゴムキャップ５の内面５１と空間部５３との間には、前記ブロック体の両側壁５４から内部に向けて切り込まれた嵌合溝５５が形成され、この嵌合溝５５を呼吸孔４の端縁に嵌合して、防振用ゴムキャップ５を蓋部３２に取り付けてなる。
【００４４】
更に、本実施形態では、防振用ゴムキャップ５の外面５１ａと空間部５３との間に、両側壁５４から内部に向けて切り込まれた嵌合溝５５ａが形成され、この嵌合溝５５ａを他の機材（不図示）のフランジ６に嵌合して、ウォーターポンプ装置Ａを前記他の機材に取り付けたものを例示している。
【００４５】
そのため、本実施形態によれば、空間部５３の上、下位置に、硬質の蓋部３２及びフランジ６が配置された構造にできるので、空間部５３が膨張しても、これら蓋部３２及びフランジ６によって、空間部５３の上、下方向の膨らみが規制され、防振用ゴムキャップ５の外形が変化することを防止できる。
【００４６】
このように構成された本実施形態のウォーターポンプ装置Ａは、以下の要領で動作される。
【００４７】
先ず、ウォーターポンプ装置Ａの前記モータ等が駆動していない状態においては、ケース本体１の隙間部３４内の空気は、略大気中の温度であるため、図２（ａ）で示すように、防振用ゴムキャップ５の空間部５３は、収縮された状態に維持されている。
【００４８】
次に、前記モータ等が駆動されると、ケース本体１の隙間部３４内の空気温度が次第に上昇して、ケース本体１内の隙間部３４の温度が、当該ケース本体１の外部の大気温度よりも高温（高圧）となり、その圧力差によって、隙間部３４の容積が膨張しようとする。
【００４９】
ところが、隙間部３４には、防振用ゴムキャップ５の通気路５２が連通されているので、隙間部３４内の高温（高圧）の空気は、通気路５２を通じて、空間部５３に供給され、図２（ｂ）で示すように、当該空間部５３が膨張される。
【００５０】
そのため、本実施形態によれば、空間部５３の膨張によって、ケース本体３（隙間部３４）内の容積が増加されることになるため、隙間部３４の圧力と、当該ケース本体３の外部の圧力を略均一になるように調節でき、ケース本体３の亀裂や破損を防止することができる。
【００５１】
また、防振用ゴムキャップ５は厚肉に形成されているため、例えば、前記モータ等の駆動によって生じる振動を吸収し、振動音が外部に伝播することを防止して防振性を高めることができる。
【００５２】
特に、図２（ｂ）で示すように、前記モータ等が激しく振動する高温時では、前記防振用ゴムキャップ５の空間部５３に空気層が形成されたダンパ構造となるので、高温時における前記モータ等の振動を更に吸収して、前記振動音等による防振性を更に高めることができる。
【００５３】
一方、この隙間部３４内の温度が上昇している際に、ケース本体１の外部に水が掛かるなどして当該ケース本体１が冷却されると、隙間部３４内の空気温度が下降され、当該ケース本体１の外部の大気温度よりも低温（低圧）となり、その圧力差によって、隙間部３４の容積が収縮しようとする。
【００５４】
ところが、隙間部３４には、防振用ゴムキャップ５の通気路５２が連通されているので、空間部５３内の高温（高圧）の空気は、通気路５２を通じて、隙間部３４に供給され、図２（ａ）で示すように、当該空間部５３が収縮される。
【００５５】
そのため、本実施形態によれば、空間部５３の収縮によって、ケース本体３（隙間部３４）内の容積が減少されることになるため、隙間部５３の圧力と、当該ケース本体３の外部の圧力を略均一になるように調節でき、ケース本体３の亀裂や破損を防止することができる。
【００５６】
このように本実施形態のウォーターポンプ装置Ａによれば、ケース本体３の内部に水の浸入を防止できると共に、モータ等の駆動による防振性も高めることができるのである。
【符号の説明】
【００５７】
Ａ  ウォーターポンプ装置
１  モータ
１ａ  ポンプ
２  制御基盤
３  ケース本体
４  呼吸孔
５  防振用ゴムキャップ
５２  通気路
５３  空間部                                                                                
【図１】
2010270648.tif 000003
【図２】
2010270648.tif 000004